(57)【特許請求の範囲】
【請求項１】
コンピュータが、アプリケーションを使用するユーザの端末機の使用履歴からインターネットを介して前記ユーザが訪問したサイトに対するＵＲＬを取得し、
前記ＵＲＬまたは前記ＵＲＬのランディングページを分析して前記ＵＲＬに対する業種のカテゴリを分類し、
前記分類された業種のカテゴリ別に前記ＵＲＬのサイトを、登録された広告サイトと比較して登録されていないＵＲＬを区分するか、あるいは前記ＵＲＬのサイトを表示した広告サイトと比較して表示されないＵＲＬを区分し、新規広告が可能なＵＲＬを提供すること、
を含むことを特徴とする新規に広告を提供することが可能なＵＲＬ提供方法を実行するためのプログラム。
【請求項２】
前記アプリケーションを使用するユーザの使用履歴から前記ユーザが訪問したサイトに対するＵＲＬを取得することは、
前記アプリケーションを使用するユーザのインターネットサービスに対する使用履歴を収集し、
前記収集された使用履歴を分析して前記ユーザが訪問したサイトに対するＵＲＬを抽出し、
前記抽出されたＵＲＬで予め決められた訪問条件を満たすサイトに対するＵＲＬを分類すること、
を含むことを特徴とする請求項１に記載の新規に広告を提供することが可能なＵＲＬ提供方法を実行するためのプログラム。
【請求項３】
前記収集された使用履歴を分析して前記ユーザが訪問したサイトに対するＵＲＬを抽出することは、前記収集された使用履歴を分析して前記ユーザが訪問した１つのサイトに対するＵＲＬが複数である場合、サイト別に１つのＵＲＬを抽出することを特徴とする請求項２に記載の新規に広告を提供することが可能なＵＲＬ提供方法を実行するためのプログラム。
【請求項４】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた基準値以上であるＵＲＬを分類することを特徴とする請求項２に記載の新規に広告を提供することが可能なＵＲＬ提供方法を実行するためのプログラム。
【請求項５】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた基準値未満であるＵＲＬを分類することを特徴とする請求項２に記載の新規に広告を提供することが可能なＵＲＬ提供方法を実行するためのプログラム。
【請求項６】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた第１基準値以上であり、予め決められた第２基準値未満であるＵＲＬを分類することを特徴とする請求項２に記載の新規に広告を提供することが可能なＵＲＬ提供方法を実行するためのプログラム。
【請求項７】
前記ＵＲＬまたは前記ＵＲＬのランディングページを分析して前記ＵＲＬに対する業種のカテゴリを分類することは、前記ＵＲＬまたは前記ＵＲＬのランディングページを分析して広告対象業種のカテゴリを用いて前記ＵＲＬに対する業種を分類することを特徴とする請求項１に記載の新規に広告を提供することが可能なＵＲＬ提供方法を実行するためのプログラム。
【請求項８】
前記ＵＲＬまたは前記ＵＲＬのランディングページを分析して前記ＵＲＬに対する業種を分類することは、
前記ＵＲＬまたは前記ＵＲＬのランディングページからキーワードを抽出し、
前記抽出されたキーワードを分析して意味の類似するキーワードを１つのグループに分類し、
前記分類されたキーワードグループから最も頻度が高いキーワードグループを業種辞書と比較して前記ＵＲＬに対する業種のカテゴリを抽出すること、
を含むことを特徴とする請求項１に記載の新規に広告を提供することが可能なＵＲＬ提供方法を実行するためのプログラム。
【請求項９】
前記抽出されたキーワードを分析して意味の類似するキーワードを１つのグループに分類することは、類似する意味のキーワードグループを整理して蓄積された類語辞書を用いて前記抽出されたキーワードを分析し、意味の類似するキーワードを１つのグループに分類することを特徴とする請求項８に記載の新規に広告を提供することが可能なＵＲＬ提供方法を実行するためのプログラム。
【請求項１０】
前記分類されたキーワードグループから最も頻度が高いキーワードグループを業種辞書と比較して前記ＵＲＬに対する業種を抽出することは、前記分類されたキーワードグループから最も頻度が高いキーワードグループを業種カテゴリおよびキーワードマッチングテーブルと比較した結果に応じて前記ＵＲＬに対する業種を抽出することを特徴とする請求項８に記載の新規に広告を提供することが可能なＵＲＬ提供方法を実行するためのプログラム。
【請求項１１】
請求項１乃至請求項１０のいずれか１項記載の方法を実行するためのプログラムを記憶することを特徴とするコンピュータで読み出し可能な記録媒体。
【請求項１２】
コンピュータにより、アプリケーションを使用するユーザの端末機の使用履歴からインターネットを介して前記ユーザが訪問したサイトに対するＵＲＬを取得するＵＲＬ取得部と、
前記ＵＲＬまたは前記ＵＲＬのランディングページを分析して前記ＵＲＬに対する業種のカテゴリを分類する業種分類部と、
前記分類された業種のカテゴリ別に前記ＵＲＬのサイトを、登録された広告サイトと比較して登録されていないＵＲＬを区分するか、あるいは前記ＵＲＬのサイトを表示した広告サイトと比較して表示されないＵＲＬを区分し、新規広告が可能なＵＲＬを提供するＵＲＬ提供部と、
を含むことを特徴とする新規に広告を提供することが可能なＵＲＬ提供システム。
【請求項１３】
前記ＵＲＬ取得部は、
前記アプリケーションを使用するユーザのインターネットサービスに対する使用履歴を収集する収集部と、
前記収集された使用履歴を分析して前記ユーザが訪問したサイトに対するＵＲＬを抽出するＵＲＬ抽出部と、
前記抽出されたＵＲＬで予め決められた訪問条件を満たすサイトに対するＵＲＬを分類するＵＲＬ分類部と、
を含むことを特徴とする請求項１２に記載の新規に広告を提供することが可能なＵＲＬ提供システム。
【請求項１４】
前記ＵＲＬ抽出部は、前記収集された使用履歴を分析して前記ユーザが訪問した１つのサイトに対するＵＲＬが複数である場合、サイト別に１つのＵＲＬを抽出することを特徴とする請求項１３に記載の新規に広告を提供することが可能なＵＲＬ提供システム。
【請求項１５】
前記ＵＲＬ分類部は、前記抽出されたＵＲＬから前記ＵＲＬのサイトに訪問した訪問者の数が予め決められた基準値以上であるＵＲＬを分類することを特徴とする請求項１３に記載の新規に広告を提供することが可能なＵＲＬ提供システム。
【請求項１６】
前記ＵＲＬ分類部は、前記抽出されたＵＲＬから前記ＵＲＬのサイトに訪問した訪問者の数が予め決められた基準値未満のＵＲＬを分類することを特徴とする請求項１３に記載の新規に広告を提供することが可能なＵＲＬ提供システム。
【請求項１７】
前記ＵＲＬ分類部は、前記抽出されたＵＲＬから前記ＵＲＬのサイトに訪問した訪問者の数が予め決められた第１基準値以上であり、予め決められた第２基準値未満であるＵＲＬを分類することを特徴とする請求項１３に記載の新規に広告を提供することが可能なＵＲＬ提供システム。
【請求項１８】
前記業種分類部は、前記ＵＲＬまたは前記ＵＲＬのランディングページを分析して広告対象業種のカテゴリを用いて前記ＵＲＬに対する業種を分類することを特徴とする請求項１２に記載の新規に広告を提供することが可能なＵＲＬ提供システム。
【請求項１９】
前記業種分類部は、
前記ＵＲＬまたは前記ＵＲＬのランディングページからキーワードを抽出するキーワード抽出部と、
前記抽出されたキーワードを分析して意味の類似するキーワードを１つのグループに分類するグループ分類部と、
前記分類されたキーワードグループから最も頻度が高いキーワードグループを業種辞書と比較して前記ＵＲＬに対する業種を抽出する業種抽出部と、
を含むことを特徴とする請求項１２に記載の新規に広告を提供することが可能なＵＲＬ提供システム。
【請求項２０】
前記グループ分類部は、類似する意味のキーワードグループを整理して蓄積された類語辞書を用いて前記抽出されたキーワードを分析し、意味の類似するキーワードを１つのグループに分類することを特徴とする請求項１９に記載の新規に広告を提供することが可能なＵＲＬ提供システム。
【請求項２１】
前記業種抽出部は、前記分類されたキーワードグループから最も頻度が高いキーワードグループを業種カテゴリおよびキーワードマッチングテーブルと比較した結果に応じて前記ＵＲＬに対する業種を抽出することを特徴とする請求項１９に記載の新規に広告を提供することが可能なＵＲＬ提供システム。
【発明の詳細な説明】
【技術分野】
【０００１】
本発明は、新規広告可能なＵＲＬ提供方法およびそのシステムに関し、より詳しくは、インターネットサービスを用いるユーザの使用履歴を収集して商業的に利用可能なＵＲＬを分類して新規広告可能なＵＲＬを提供する方法およびそのシステムに関する。
【背景技術】
【０００２】
一般的に、ＵＲＬ（ＵＲＬ：Ｕｎｉｆｏｒｍ  Ｒｅｓｏｕｒｃｅ  Ｌｏｃａｔｏｒ）はインターネット上にある各種情報の位置を表示する標準である。前記ＵＲＬを用いるウェブブラウザは、インターネットに存在する多様な形態のサービスを同時に支援する道具としてＨＴＴＰ（Ｈｙｐｅｒｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、ユーザーズネットニュース（Ｕｓｅｒ’ｓ  Ｎｅｔｗｏｒｋ（ＵＳＮＥＴ）  Ｎｅｗｓ）、ｅ−ｍａｉｌ、ゴーファー（ｇｏｐｈｅｒ）、電気通信網（ｔｅｌｅｃｏｍｍｕｎｉｃａｔｉｏｎ  ｎｅｔｗｏｒｋ）等のサービスを同時に支援する。このような多様なサービスを提供する数多くのサーバから必要な情報を獲得するためにこれらの位置を表示するＵＲＬが用いられる。前記ＵＲＬは、インターネット上でサービスを提供する各サーバにあるファイルの位置を明示するためのものであって、接続しなければならないサービスの種類、サーバの位置（ドメインネーム）、ファイルの位置等を含む。このようなＵＲＬの体系（ｓｙｎｔａｘ）は、“プロトコル：／／対応する情報を有するコンピュータの名前／ディレクトリの名前／ファイルネーム”で表現される。一例として、前記ＵＲＬは「ｈｔｔｐ：／／ｗｗｗ．ｅｂｏｏｋ．ｃｏｍ／Ｍａｉｎ／ｄｅｆａｕｌｔ．ａｓｐｘ」のように表記してもよい。
【０００３】
一般的な検索広告サービスは、ポータル検索サイトに接続したユーザに一方的に広告を表示したり、または前記ユーザが検索しようとするクエリを入力すれば、前記クエリに対応する検索結果を提供するときに検索結果と関連する広告を提供する。しかし、従来の検索広告サービスは広告主が検索広告または表示広告として予め登録しなければ広告サービスできないため、広告サービス提供業者は新規広告サービスを申請する広告主がない場合、広告収入を増大させることが難しいという問題がある。
【０００４】
したがって、インターネットサービスを使用するユーザの使用履歴を収集する検索広告と、広告効果を実現するための新規な広告サービスを提供するための新規な事業リソース（ｂｕｓｉｎｅｓｓ  ｒｅｓｏｕｒｃｅ）を開発することが必要である。
【発明の概要】
【発明が解決しようとする課題】
【０００５】
本発明は、インターネットサービスを利用するユーザの使用履歴を収集して商業的に利用可能なＵＲＬを分類して新規広告が可能なＵＲＬを提供する方法およびそのシステムを提供する。
【課題を解決するための手段】
【０００６】
本発明の一実施形態に係る新規広告可能なＵＲＬ提供方法は、アプリケーションを使用するユーザの使用履歴から前記ユーザが訪問したサイトに対するＵＲＬを取得し、前記ＵＲＬまたは前記ＵＲＬのランディングページ（ｌａｎｄｉｎｇ  ｐａｇｅ）を分析して前記ＵＲＬに対する業種を分類し、前記分類された業種別に前記ＵＲＬのサイトに登録された広告サイトまたは表示した広告サイトを比較した結果に応じて新規広告が可能なＵＲＬを提供すること、を含む。
【０００７】
本発明の一実施形態に係る新規広告可能なＵＲＬ提供システムは、アプリケーションを使用するユーザの使用履歴から前記ユーザが訪問したサイトに対するＵＲＬを取得するＵＲＬ取得部と、前記ＵＲＬまたは前記ＵＲＬのランディングページ（ｌａｎｄｉｎｇ  ｐａｇｅ）を分析して前記ＵＲＬに対する業種を分類する業種分類部と、前記分類された業種別に前記ＵＲＬのサイトに登録された広告サイトまたは表示した広告サイトを比較した結果に応じて新規広告が可能なＵＲＬを提供するＵＲＬ提供部と、を含む。
【発明の効果】
【０００８】
本発明によれば、インターネットサービスを使用するユーザの使用履歴を収集して商業的に利用可能なＵＲＬを分類して新規広告可能なＵＲＬを提供する方法およびそのシステムを提供することによって、インターネット広告サービスを利用することのできる検索広告のための新規な営業リソースを容易に開発することができる。
【図面の簡単な説明】
【０００９】
【図１】本発明の一実施形態に係る新規広告可能なＵＲＬを提供するシステムとユーザ端末との間の連動関係を示す図である。
【図２】本発明の一実施形態に係る新規広告可能なＵＲＬを提供するシステムの構成を示す図である。
【図３】ＵＲＬ獲得部の構成の具体例を示す図である。
【図４】業種分類部の構成の具体例を示す図である。
【図５】本発明の一実施形態に係る新規広告可能なＵＲＬを提供する方法を示すフローチャートである。
【図６】ＵＲＬ獲得ステップをより具体化した例を示すフローチャートである。
【図７】業種分類ステップをより具体化した例を示すフローチャートである。
【発明を実施するための形態】
【００１０】
以下、添付された図面を参照して新規広告可能なＵＲＬ提供システムおよび方法を詳細に説明する。
【００１１】
図１は、本発明に係る新規広告可能なＵＲＬを提供するシステムとユーザ端末機との間の連動関係を示す図である。
【００１２】
図１を参照すれば、新規広告可能なＵＲＬ提供システム１１０は、インターネット１２０を介してシステムに接続されたユーザ端末機１３０−１〜１３０−ｎからアプリケーションを使用するユーザの使用履歴を取得する。新規広告可能なＵＲＬ提供システム１１０は、ユーザ端末機１３０−１〜１３０−ｎのユーザに対して検索サービス、カフェ（コミュニティ）、ブログ、辞書、ニュースなどのようなインターネットサービスを提供し、前記インターネットサービスを提供するときに広告を共に表示する。前記アプリケーションは、前記ユーザがユーザ端末機１３０−１〜１３０−ｎを介してインターネットサービスが提供されるときに使用されるアプリケーションプログラムである。例えば、前記アプリケーションはツールバー（ｔｏｏｌｂａｒ）、ウイルス対策プログラムなどのようなクライアント形式のアプリケーションであってもよい。前記ツールバーは、前記ユーザがお気に入りのインターネットサービスを容易に用いることができるようにするために、テーマを介して前記ユーザがお気に入りのサイトまたはサービスをワンクリックで容易に移動することを可能にするアプリケーションである。
【００１３】
すなわち、新規広告可能なＵＲＬ提供システム１１０は、インターネット１２０を介してシステムに接続されたユーザ端末機１３０−１〜１３０−ｎからアプリケーションを使用するユーザのインターネットサービスに対する使用履歴を取得する。前記ユーザの使用履歴は、前記ユーザが訪問したサイトのＵＲＬ、前記サイトの訪問回数などのように前記ユーザがインターネットサービスを使用するときに生成される情報などが含まれる。
【００１４】
また、新規広告可能なＵＲＬ提供システム１１０は、前記ユーザの使用履歴を取得する前にユーザから使用履歴情報を用いることができるように予め同意を求めてもよい。また、システム１１０は、前記ユーザの使用履歴をデータベースに記録して保持してもよい。
【００１５】
新規広告可能なＵＲＬ提供システム１１０は、前記取得されたユーザの使用履歴から前記ユーザが訪問したサイトに対するＵＲＬを取得する。例えば、新規広告可能なＵＲＬ提供システム１１０は、前記データベースに記録された前記ユーザの使用履歴を分析して前記ユーザが訪問したサイトに対するＵＲＬを取得する。
【００１６】
新規広告可能なＵＲＬ提供システム１１０は、前記ＵＲＬおよび前記ＵＲＬのランディングページを分析して前記ＵＲＬに対する業種を分類する。具体的には、新規広告可能なＵＲＬ提供システム１１０は、前記ＵＲＬまたは前記ＵＲＬのランディングページを分析して広告対象業種のカテゴリを用いて前記ＵＲＬに対する業種を分類する。
【００１７】
新規広告可能なＵＲＬ提供システム１１０は、前記分類された業種のカテゴリ別に前記ＵＲＬのサイトに登録された広告サイトまたは表示した広告サイトを比較した結果に応じて、新規広告が可能なＵＲＬを提供する。すなわち、新規広告可能なＵＲＬ提供システム１１０は、前記分類された業種別に前記ＵＲＬのサイトに前記登録された広告サイトまたは前記表示した広告サイトを比較し、前記比較結果に応じて、登録されたＵＲＬと表示されないＵＲＬを区分して新規広告が可能なＵＲＬを広告サービスの運営者に提供する。前記広告サービスの運営者は、前記新規広告が可能なＵＲＬの提供を受けることによって多くのユーザが用いる人気サイトの中から検索広告や情報に基づくショッピング（ｉｎｆｏｒｍｅｄ  ｓｈｏｐｐｉｎｇ）等を介して広告を提供しないサイトを把握して広告事業に活用してもよい。
【００１８】
以下、図２を参照して新規広告可能なＵＲＬ提供システム１１０の具体的な構成および動作をより詳細に説明する。
【００１９】
図２は、本発明の一実施形態に係る新規広告可能なＵＲＬ提供システムの構成を示す図である。
【００２０】
図２を参照すれば、新規広告可能なＵＲＬ提供システム１１０は、ＵＲＬ取得部２１０、業種分類部２２０およびＵＲＬ提供部２３０を含む。
【００２１】
ＵＲＬ取得部２１０は、アプリケーションを使用するユーザの使用履歴から前記ユーザが訪問したサイトに対するＵＲＬを取得する。例えば、ＵＲＬ取得部２１０は、前記アプリケーションを使用するユーザのインターネットサービスに対する使用履歴を記録して保持するデータベースから前記ユーザのインターネットサービスに対する使用履歴を分析し、前記ユーザが訪問したサイトに対するＵＲＬを取得してもよい。以下、図３を参照してＵＲＬ取得部２１０の具体的な構成および動作をより詳細に説明する。
【００２２】
図３は、ＵＲＬ取得部２１０の構成の具体例を示す図である。
【００２３】
図３を参照すれば、ＵＲＬ取得部２１０は、収集部３１０、ＵＲＬ抽出部３２０およびＵＲＬ分類部３３０を含む。
【００２４】
収集部３１０は、前記アプリケーションを使用するユーザのインターネットサービスに対する使用履歴を収集する。例えば、収集部３１０は、前記インターネットサービスに対する使用履歴を収集し、前記収集された使用履歴をデータベースに記録して保持してもよい。
【００２５】
ＵＲＬ抽出部３２０は、前記収集された使用履歴を分析して前記ユーザが訪問したサイトに対するＵＲＬを抽出する。具体的には、ＵＲＬ抽出部３２０は、前記収集された使用履歴を分析して前記ユーザが訪問した１つのサイトに対するＵＲＬが複数の場合、各サイトのＵＲＬを抽出してもよい。
【００２６】
例えば、前記ユーザが訪問した１つのサイトに対するＵＲＬが「ｈｔｔｐ：／／ｗｗｗ．ｅｂｏｏｋ．ｃｏｍ、ｈｔｔｐ：／／ｗｗｗ．ｅｂｏｏｋ．ｃｏｍ／ｍａｉｎ、ｈｔｔｐ：／／ｗｗｗ．ｅｂｏｏｋ．ｃｏｍ／ｎａｔｉｏｎａｌ、ｈｔｔｐ：／／ｗｗｗ．ｅｂｏｏｋ．ｃｏｍ／ｉｎｔｅｒｎａｔｉｏｎａｌ、ｈｔｔｐ：／／ｗｗｗ．ｅｂｏｏｋ．ｃｏｍ／ｂｅｓｔｓｅｌｌｅｒ」などのように複数である場合、ＵＲＬ抽出部３２０は「ｈｔｔｐ：／／ｗｗｗ．ｅｂｏｏｋ．ｃｏｍ／ｂｅｓｔｓｅｌｌｅｒ」のように該当サイトの代表ＵＲＬまたは「ｈｔｔｐ：／／ｗｗｗ．ｅｂｏｏｋ．ｃｏｍ」のように該当サイトの最上位ＵＲＬを抽出してもよい。
【００２７】
ＵＲＬ分類部３３０は、前記抽出されたＵＲＬで予め決められた訪問条件を満たすサイトに対するＵＲＬを分類する。例えば、ＵＲＬ分類部３３０は、前記抽出されたＵＲＬのサイトに訪問した１日の訪問者の数が前記決められた訪問条件を満たすサイトに対するＵＲＬを分類してもよい。
【００２８】
ＵＲＬ分類部３３０は、前記抽出されたＵＲＬの中から前記ＵＲＬのサイトに訪問した訪問者の数が予め決められた値以上であるＵＲＬを分類してもよい。具体的には、ＵＲＬ分類部３３０は、前記ＵＲＬのサイトを訪問した訪問者の数が広告効果を立証できる最小の基準人数よりも多いＵＲＬを新規広告事業対象の候補として分類してもよい。例えば、ＵＲＬ分類部３３０は、前記抽出されたＵＲＬの中から前記ＵＲＬのサイトを訪問した訪問者数が１日５０人以上のＵＲＬだけを分類してもよい。
【００２９】
ＵＲＬ分類部３３０は、前記抽出されたＵＲＬの中から前記ＵＲＬのサイトに訪問した訪問者数が予め決められた値未満のＵＲＬを分類してもよい。具体的には、ＵＲＬ分類部３３０は、前記ＵＲＬのサイトを訪問した訪問者数が検索広告または知識ショッピング（同時に多数のインターネット・ショッピングサイトから製品を探し、多数のインターネット・ショッピングサイトからユーザや専門家により書かれたレビューを参照して、製品の最安価格を探す等の特徴を提供することにより、ユーザはウェブサイトを通じてショッピングに関する全ての必要な情報や要求された情報を直ちに見ることができる。）で保障している基準値よりも大きい場合、前記基準値未満のＵＲＬを前記新規広告の事業対象の候補として分類してもよい。例えば、ＵＲＬ分類部３３０は、前記抽出されたＵＲＬの中から前記ＵＲＬのサイトに訪問した訪問者数が１日に２００人未満のＵＲＬだけを分類してもよい。
【００３０】
ＵＲＬ分類部３３０は、前記抽出されたＵＲＬの中から前記ＵＲＬのサイトに訪問した訪問者数が第１基準値以上であり、第２基準値未満のＵＲＬを分類してもよい。具体的には、ＵＲＬ分類部３３０は、前記ＵＲＬのサイトに訪問した訪問者数が広告効果を提示することのできる第１基準値よりも大きく、前記検索広告または前記知識ショッピングで保障している第２基準値よりも小さい場合のＵＲＬを前記新規広告の事業対象の候補として分類してもよい。例えば、ＵＲＬ分類部３３０は、前記抽出されたＵＲＬの中から前記ＵＲＬのサイトに訪問した訪問者数が１日に５０人以上であり、１日に２００人未満のＵＲＬを分類してもよい。
【００３１】
業種分類部２２０は、ＵＲＬまたは前記ＵＲＬのランディングページを分析して前記ＵＲＬに対する業種のカテゴリを分類する。具体的には、業種分類部２２０は、前記ＵＲＬまたは前記ＵＲＬのランディングページを分析して広告対象業種のカテゴリを用いて前記ＵＲＬに対する業種を分類する。
【００３２】
図４は、業種分類部２２０の構成の具体例を示す図である。
【００３３】
図４を参照すれば、業種分類部２２０は、キーワード抽出部４１０、グループ分類部４２０および業種抽出部４３０を含む。
【００３４】
キーワード抽出部４１０は、前記抽出されたＵＲＬまたは前記ＵＲＬのランディングページからキーワードを抽出する。例えば、前記抽出されたＵＲＬが「ｈｔｔｐ：／／ｗｗｗ．ｅｂｏｏｋ．ｃｏｍ／ｂｅｓｔｓｅｌｌｅｒ」の場合、キーワード抽出部４１０は前記ＵＲＬのランディングページから「ｅｂｏｏｋ、ｂｅｓｔｓｅｌｌｅｒ」などのようなキーワードを抽出してもよい。前記ランディングページ（ｌａｎｄｉｎｇ  ｐａｇｅ）は、広告主が被広告主に広告を介して広告メッセージを伝達した後に被広告主が広告物をクリックした場合、前記広告主が移動することを所望するページとして広告物にリンクされたページである。具体的には、前記ランディングページは、前記広告主の広告メッセージを最も効果的に見せるウェブページであって、各サイトのメインページであってもよい。例えば、前記ランディングページは、前記広告主が販売し広報しようとする対象に対する商品リストページ、商品販売ページまたはイベントを紹介するウェブページであってもよい。
【００３５】
グループ分類部４２０は、前記抽出されたキーワードを分析して意味の類似するキーワードを一つのグループに分類してもよい。具体的には、グループ分類部４２０は、類似の意味のキーワードグループを整理して蓄積された類語辞書を用いて前記抽出されたキーワードを分析して意味の類似するキーワードを一つのグループに分類してもよい。
【００３６】
業種抽出部４３０は、前記分類されたキーワードグループから最も頻度が高いキーワードグループを業種辞書と比較して前記ＵＲＬに対する業種のカテゴリを抽出してもよい。具体的には、業種抽出部４３０は、前記分類されたキーワードグループから最も頻度が高いキーワードグループを業種カテゴリおよびキーワードマッチングテーブルと比較した結果に応じて前記ＵＲＬに対する業種を抽出してもよい。
【００３７】
ＵＲＬ提供部２３０は、前記分類された業種のカテゴリ別に前記ＵＲＬのサイトを登録された広告サイトまたは表示した広告サイトと比較した結果に応じて、新規広告が可能なＵＲＬを提供する。ＵＲＬ提供部２３０は、前記分類された業種のカテゴリ別に前記ＵＲＬのサイトを前記登録された広告サイトまたは前記表示した広告サイトと比較し、前記比較結果に応じて登録され表示されないＵＲＬを区分して前記新規広告が可能なＵＲＬをインターネット広告の運営者に提供する。
【００３８】
上述のように、本発明に係る新規広告可能なＵＲＬ提供システム１１０は、インターネットサービスを使用するユーザの使用履歴を取得して商業的に利用可能なＵＲＬを分類して新規広告可能ＵＲＬをインターネット広告の運営者に提供することによって、インターネット広告の運営者が検索広告または知識ショッピング等を使用して広告主が広告する可能性が高い新規事業リソースを容易に確認することができる。
【００３９】
したがって、本発明に係る新規広告可能なＵＲＬ提供システム１１０は、多くのユーザが用いる人気サイトの中から検索広告または情報に基づくショッピング等を介して広告を提供しないサイトのＵＲＬを広告サービスの運営者が容易に把握することができるため、新規広告事業をより容易に行なうことができる。
【００４０】
図５は、本発明の一実施形態に係る新規広告可能なＵＲＬを提供する方法を示すフローチャートである。
【００４１】
図１および図５を参照すれば、ステップＳ５１０において新規広告可能なＵＲＬ提供システム１１０は、アプリケーションを使用するユーザの使用履歴から前記ユーザが訪問したサイトに対するＵＲＬを取得する。例えば、ステップＳ５１０で新規広告可能なＵＲＬ提供システム１１０は、インターネット１２０を介してシステム１１０に接続されたユーザ端末１３０−１〜１３０−ｎからインターネットサービスに対する使用履歴を取得し、前記ユーザのインターネットサービスに対する使用履歴から前記ユーザが訪問したサイトに対するＵＲＬを取得してもよい。以下、図６を参照してＵＲＬ取得ステップの具体的な過程をより詳細に説明する。
【００４２】
図６は、ＵＲＬ獲得ステップの具体例を示すフローチャートである。
【００４３】
図１および図６を参照すれば、ステップＳ６１０において新規広告可能なＵＲＬ提供システム１１０は、前記アプリケーションを使用するユーザのインターネットサービスに対する使用履歴を取得する。例えば、ステップＳ６１０で新規広告可能なＵＲＬ提供システム１１０は、前記アプリケーションを使用するユーザのインターネットサービスに対する使用履歴を取得し、前記取得された使用履歴をデータベースに記録して保持してもよい。
【００４４】
ステップＳ６２０において新規広告可能なＵＲＬ提供システム１１０は、前記取得された使用履歴を分析して前記ユーザが訪問したサイトに対するＵＲＬを抽出する。具体的には、新規広告可能なＵＲＬ提供システム１１０は、前記取得された使用履歴を分析して前記ユーザが訪問した１つのサイトに対するＵＲＬが複数の場合、各サイト別に１つのＵＲＬを抽出する。例えば、前記ユーザが訪問した１つのサイトに対するＵＲＬが「ｈｔｔｐ：／／ｗｗｗ．ｅｂｏｏｋ．ｃｏｍ、ｈｔｔｐ：／／ｗｗｗ．ｅｂｏｏｋ．ｃｏｍ／ｍａｉｎ、ｈｔｔｐ：／／ｗｗｗ．ｅｂｏｏｋ．ｃｏｍ／ｎａｔｉｏｎａｌ、ｈｔｔｐ：／／ｗｗｗ．ｅｂｏｏｋ．ｃｏｍ／ｉｎｔｅｒｎａｔｉｏｎａｌ、ｈｔｔｐ：／／ｗｗｗ．ｅｂｏｏｋ．ｃｏｍ／ｂｅｓｔｓｅｌｌｅｒ」などのように複数の場合、新規広告可能なＵＲＬ提供システム１１０は「ｈｔｔｐ：／／ｗｗｗ．ｅｂｏｏｋ．ｃｏｍ／ｂｅｓｔｓｅｌｌｅｒ」のように該当サイトの代表ＵＲＬまたは「ｈｔｔｐ：／／ｗｗｗ．ｅｂｏｏｋ．ｃｏｍ」のように該当サイトの最上位ＵＲＬを抽出してもよい。
【００４５】
ステップＳ６３０において新規広告可能なＵＲＬ提供システム１１０は、前記抽出されたＵＲＬで決められた訪問条件を満たすサイトに対するＵＲＬを分類する。例えば、ステップＳ６３０で新規広告可能なＵＲＬ提供システム１１０は、前記抽出されたＵＲＬのウェブページに対する１日の訪問者数が予め決められた訪問条件を満たすサイトに対するＵＲＬを新規広告の事業対象の候補として分類してもよい。例えば、ステップＳ６３０で新規広告可能なＵＲＬ提供システム１１０は、前記抽出されたＵＲＬの中から前記ＵＲＬのサイトに訪問した訪問者数が基準値以上であるＵＲＬを分類してもよい。例えば、ステップＳ６３０で新規広告可能なＵＲＬ提供システム１１０は、前記抽出されたＵＲＬの中から前記サイトに訪問した訪問者数が１日に５０人以上のＵＲＬを新規広告の事業対象の候補として分類してもよい。
【００４６】
一例として、ステップＳ６３０で新規広告可能なＵＲＬ提供システム１１０は、前記抽出されたＵＲＬの中から前記ＵＲＬのサイトに訪問した訪問者数が決められた基準値未満のＵＲＬを分類してもよい。例えば、ステップＳ６３０で新規広告可能なＵＲＬ提供システム１１０は、前記抽出されたＵＲＬの中から前記ＵＲＬのサイトに訪問した訪問者数が１日に２００人未満のＵＲＬを新規広告の事業対象の候補として分類してもよい。
【００４７】
一例として、ステップＳ６３０で新規広告可能なＵＲＬ提供システム１１０は、前記抽出されたＵＲＬの中から前記ＵＲＬのサイトに訪問した訪問者数が第１基準値以上であり、第２基準値未満のＵＲＬを分類してもよい。例えば、ステップＳ６３０で新規広告可能なＵＲＬ提供システム１１０は、前記抽出されたＵＲＬの中から前記ＵＲＬのサイトに訪問した訪問者数が１日に５０人以上であり、１日に２００人未満のＵＲＬを新規広告の事業対象の候補として分類してもよい。
【００４８】
ステップＳ５２０において、新規広告可能なＵＲＬ提供システム１１０は、前記ＵＲＬまたは前記ＵＲＬのランディングページを分析して前記ＵＲＬに対する業種を分類する。
【００４９】
具体的には、ステップＳ５２０で新規広告可能なＵＲＬ提供システム１１０は、前記ＵＲＬまたは前記ＵＲＬのランディングページを分析して広告対象業種のカテゴリを用いて前記ＵＲＬに対する業種を分類してもよい。以下、図７を参照してＵＲＬに対する業種を分類するステップの動作をより具体的に説明する。
【００５０】
図７は、業種分類ステップの具体例を示すフローチャートである。
【００５１】
図１および図７を参照すれば、ステップＳ７１０で新規広告可能なＵＲＬ提供システム１１０は、前記ＵＲＬまたは前記ＵＲＬのランディングページからキーワードを抽出する。
【００５２】
一例として、前記抽出されたＵＲＬが「ｈｔｔｐ：／／ｗｗｗ．ｅｂｏｏｋ．ｃｏｍ／ｂｅｓｔｓｅｌｌｅｒ」の場合、ステップＳ７１０で新規広告可能なＵＲＬ提供システム１１０は前記ＵＲＬから「ｅｂｏｏｋ、ｂｅｓｔｓｅｌｌｅｒ」などのようなキーワードを抽出したり、または前記抽出されたＵＲＬのランディングページからキーワードを抽出してもよい。
【００５３】
一例として、前記抽出されたＵＲＬが「ｈｔｔｐ：／／ｗｗｗ．ｅｂｏｏｋ．ｃｏｍ」の場合、ステップＳ７１０で新規広告可能なＵＲＬ提供システム１１０は、前記ＵＲＬから「ｅｂｏｏｋ」というキーワードを抽出し、または前記抽出されたＵＲＬのランディングページからキーワードを抽出してもよい。
【００５４】
ステップＳ７２０において新規広告可能なＵＲＬ提供システム１１０は、前記抽出されたキーワードを分析して意味の類似するキーワードを一つのグループに分類してもよい。具体的には、ステップＳ７２０で新規広告可能なＵＲＬ提供システム１１０は、類似の意味のキーワードグループを整理して蓄積された類語辞書を用いて前記抽出されたキーワードを分析し、意味の類似するキーワードを一つのグループに分類してもよい。  
【００５５】
ステップＳ７３０において新規広告可能なＵＲＬ提供システム１１０は、前記分類されたキーワードグループの中から最も頻度が高いキーワードグループを業種辞書と比較して前記ＵＲＬに対する業種のカテゴリを抽出してもよい。具体的には、ステップＳ７３０で新規広告可能なＵＲＬ提供システム１１０は、前記分類されたキーワードグループの中から最も頻度が高いキーワードグループを業種カテゴリおよびキーワードマッチングテーブルと比較した結果に応じて前記ＵＲＬに対する業種を抽出してもよい。
【００５６】
ステップＳ５３０において新規広告可能なＵＲＬ提供システム１１０は、前記分類された業種のカテゴリ別に前記ＵＲＬのサイトに登録された広告サイトまたは表示した広告サイトと比較した結果に応じて新規広告が可能なＵＲＬを提供してもよい。具体的には、ステップＳ５３０で新規広告可能なＵＲＬ提供システム１１０は、前記分類された業種のカテゴリ別に前記ＵＲＬのサイトに前記登録された広告サイトまたは前記表示した広告サイトと比較し、前記比較結果に応じて登録され表示されないＵＲＬを区分して前記新規広告が可能なＵＲＬを提供してもよい。
【００５７】
上述のように、本発明に係る新規広告可能なＵＲＬ提供方法によれば、インターネットサービスを使用するユーザの使用履歴を取得して商業的に利用可能なＵＲＬを分類して新規広告可能なＵＲＬをインターネット広告の運営者に提供することによって、インターネット広告の運営者が検索広告または情報に基づくショッピング等を介して広告主が広告を行なう可能性が高い新規事業リソースを容易に確認することができる。
【００５８】
したがって、本発明に係る新規広告可能なＵＲＬ提供方法は、多くのユーザが用いる人気サイトの中で検索広告または情報に基づくショッピング等を介して広告を提供しないサイトのＵＲＬを広告サービスの運営者が容易に把握することができるため、新規広告の事業をより容易に行なうことができる。
【００５９】
一方、本発明に係る新規広告可能なＵＲＬ提供方法は、コンピュータにより実現される多様な動作を実行するためのプログラム命令を含むコンピュータ読取可能な記録媒体を含む。前記記録媒体は、プログラム命令、データファイル、データ構造などを単独または組み合わせて含むこともできる。前記記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。上述のハードウェア装置は、本発明の上述した一実施形態の動作を行うために１つ以上のソフトウェアモジュールで作動するように構成されてもよい。
【００６０】
上述したように、本発明のいくつかの実施形態は、参照して説明したが、本発明は、上述の実施形態に限定されることなく、本発明が属する技術分野における通常の知識を有する者であれば、本発明の原理および思想から逸脱せずにこれらの実施形態が変更可能であり、技術的範囲は、特許請求の範囲と均等なものなどによって規定されることを理解するべきである。
【符号の説明】
【００６１】
１１０      新規広告可能なＵＲＬ提供システム
１２０      インターネット
１３０−１〜１３０−ｎ      ユーザ端末機
２１０      ＵＲＬ取得部
２２０      業種分類部
２３０      ＵＲＬ提供部
３１０      収集部
３２０      ＵＲＬ抽出部
３３０      ＵＲＬ分類部
４１０      キーワード抽出部
４２０      キーワード分類部
４３０      業種抽出部
【図１】
0005511782.tif 000002
【図２】
0005511782.tif 000003
【図３】
0005511782.tif 000004
【図４】
0005511782.tif 000005
【図５】
0005511782.tif 000006
【図６】
0005511782.tif 000007
【図７】
0005511782.tif 000008